【手続補正書】
【提出日】平成19年1月11日(2007.1.11)
【手続補正１】
【補正対象書類名】明細書
【補正対象項目名】発明の名称
【補正方法】変更
【補正の内容】
【発明の名称】カセット装着装置
【手続補正２】
【補正対象書類名】明細書
【補正対象項目名】特許請求の範囲
【補正方法】変更
【補正の内容】
【特許請求の範囲】
【請求項１】  シャーシと、
カセットを保持するホルダと、
該ホルダの両側面に配され、且つ前記ホルダを所定上昇位置と所定下降位置との間で前記シャーシに対して昇降可能に支持するリンク機構とを備え、
前記リンク機構を構成する左右一対のレバーが、前記カセット上部近接位置で連結部を介して一体に連結され、一体成形された略コの字型部材より形成されることを特徴とするカセット装着装置。
【請求項２】  シャーシと、
カセットを保持するホルダと、
該ホルダの両側面に配され、且つ前記ホルダを所定上昇位置と所定下降位置との間で前記シャーシに対して昇降可能に支持するリンク機構とを備え、
前記リンク機構を構成する左右一対のレバーが、前記カセット上部近接位置で連結部を介して連結され、
前記連結部が、前記所定上昇位置においては、前記カセットのカセットリッド開閉時の動作領域内に位置するように配され、前記所定下降位置においては、前記カセットリッドの動作領域外へ移動し、開いた前記リッドと干渉しないように構成されたことを特徴とするカセット装着装置。
【請求項３】  前記所定下降位置において、前記連結部が、前記カセットリッドと前記ホルダとの間の空間に配置されることを特徴とする請求項１又は２記載のカセット装着装置。
【請求項４】  前記所定下降位置において、前記連結部が、前記カセットリッドの高さ以下に配置されていることを特徴とする請求項３記載のカセット装着装置。
【請求項５】  前記所定下降位置において、前記連結部が、前記カセットリッド外形に略平行に配置されていることを特徴とする請求項１乃至３のいずれかに記載のカセット装着装置。
【請求項６】  前記所定下降位置において、前記連結部が、前記所定上昇位置に比べて前記カセットリッドの近傍に配置されていることを特徴とする請求項１乃至３のいずれかに記載のカセット装着装置。
【請求項７】  前記所定上昇位置において、前記連結部が、前記カセット挿入時のカセット上面のガイドとして機能することを特徴とする請求項１又は２記載のカセット装着装置。
【請求項８】  前記連結部を介して連結されたレバーが、プレス加工の板金で一体に成形されていることを特徴とする請求項１又は２記載のカセット装着装置。
【請求項９】  シャーシと、
カセットを保持するホルダと、
前記ホルダを前記シャーシに対して昇降自在に支持する複数のレバーからなるリンク機構と、
前記レバーの一部に形成され、且つ前記ホルダ内に挿入されたカセットのリッドに係合可能な係合部とを備え、
該係合部は、前記ホルダの下降動作に伴って前記ホルダ内に挿入されたカセットのリッドに係合してこれを開放することを特徴とするカセット装着装置。
【請求項１０】  前記係合部が形成されたレバーは、前記ホルダの下降動作に伴って前記カセットのリッド方向に回動することを特徴とする請求項９記載のカセット装着装置。
【請求項１１】  前記係合部が形成されたレバーは、前記ホルダの両側面に位置する一対のレバーと、前記一対のレバーの夫々一端を連結する連結部とからなる略コの字形状に形成され、前記係合部は、前記連結部と反対側の端部に形成されていることを特徴とする請求項９記載のカセット装着装置。
【請求項１２】  シャーシと、
カセットを保持するホルダと、
リール台を搭載し、前記シャーシに対してスライド可能なスライドシャーシと、
前記ホルダの両側面に配され、且つ前記ホルダを前記スライドシャーシに対して昇降自在に支持する支持手段と、
前記ホルダを前記スライドシャーシにロックするロック手段と、
該ロック手段によるロック状態を検出する検出手段と、
該検出手段を動作させるための中継部材とを備え、
前記検出手段と前記中継部材は前記スライドシャーシ上に配され、前記ロック手段による前記ホルダのロック動作に応じて前記中継部材が前記検出手段を動作させることを特徴とするカセット装着装置。
【請求項１３】  前記カセットのイジェクト指示に応じて前記中継部材を駆動し、前記ロック手段によるロックの解除動作を行う駆動手段を備えることを特徴とする請求項１２記載のカセット装着装置。
【請求項１４】  前記中継部材は、前記検出手段を動作させる第１の位置と、前記ロック手段によるロックの解除を行う第２の位置との間を回動可能であり、前記第１の位置と前記第２の位置との中間に位置する第３の位置に常時復元可能に付勢されて成ることを特徴とする請求項１２記載のカセット装着装置。
【請求項１５】  前記ロック手段は、前記ホルダ側面に備えられて所定方向に付勢されたロックレバーが、前記スライドシャーシ上のロック部材に係合することにより前記ホルダをロックすることを特徴とする請求項１２記載のカセット装着装置。
【請求項１６】  シャーシと、
カセットを保持するホルダと、
該ホルダの両側面に配設され、且つ前記ホルダを所定上昇位置と所定下降位置との間で前記シャーシに対して昇降自在に支持する支持手段と、
前記所定下降位置において前記ホルダを所定の高さ位置に規制する規制手段と、
前記ホルダの片方の側面に前記ホルダの昇降方向に可動自在に支持されたサブホルダとを備え、
前記規制手段は前記サブホルダを支持しない側のホルダ部と前記サブホルダとを所定の高さ位置に規制することを特徴とするカセット装着装置。
【請求項１７】  前記サブホルダを支持する側のホルダ部は、前記ホルダが前記規制手段により規制された所定の高さ位置より下降可能であることを特徴とする請求項１６記載のカセット装着装置。
【請求項１８】  前記サブホルダを支持する側のホルダ側面に配設され、前記シャーシに前記ホルダをロックするためのロック手段を備え、
前記所定の高さ位置は、前記ロック手段による前記ホルダのロック状態の高さ位置であり、前記ロック手段は、前記ホルダが前記所定の高さ位置より所定のストローク下降することにより前記ホルダをロックすることを特徴とする請求項１６記載のカセット装着装置。
【請求項１９】  前記サブホルダは、前記ホルダに対して少なくとも前記所定のストローク昇降方向に可動することを特徴とする請求項１８記載のカセット装着装置。
【手続補正３】
【補正対象書類名】明細書
【補正対象項目名】０００１
【補正方法】変更
【補正の内容】
【０００１】
【発明の属する技術分野】
本発明は、例えばＶＴＲ（ビデオテープレコーダ）等のテープカセットが収納されるカセットホルダを昇降させるカセット装着装置に関する。
【手続補正４】
【補正対象書類名】明細書
【補正対象項目名】００２７
【補正方法】変更
【補正の内容】
【００２７】
本発明は、上述の事情に鑑みて成されたものであり、ホルダ上部の機構により生じるデッドスペースを最小限にすると共に、ホルダ上部のスペースを有効に利用可能な構成とし、更に各構成要素の配置の最適化を図り、装置の小型化を実現できるカセット装着装置を提供することを目的とする。
【手続補正５】
【補正対象書類名】明細書
【補正対象項目名】００２９
【補正方法】変更
【補正の内容】
【００２９】
（１）シャーシと、カセットを保持するホルダと、  該ホルダの両側面に配され、且つ前記ホルダを所定上昇位置と所定下降位置との間で前記シャーシに対して昇降可能に支持するリンク機構とを備え、
前記リンク機構を構成する左右一対のレバーが、前記カセット上部近接位置で連結部を介して一体に連結され、一体成形された略コの字型部材より形成されることを特徴とするカセット装着装置。
【手続補正６】
【補正対象書類名】明細書
【補正対象項目名】００３０
【補正方法】変更
【補正の内容】
【００３０】
（２）シャーシと、カセットを保持するホルダと、該ホルダの両側面に配され、且つ前記ホルダを所定上昇位置と所定下降位置との間で前記シャーシに対して昇降可能に支持するリンク機構とを備え、前記リンク機構を構成する左右一対のレバーが、前記カセット上部近接位置で連結部を介して連結され、前記連結部が、前記所定上昇位置においては、前記カセットのカセットリッド開閉時の動作領域内に位置するように配され、前記所定下降位置においては、前記カセットリッドの動作領域外へ移動し、開いた前記リッドと干渉しないように構成されたことを特徴とするカセット装着装置。
【手続補正７】
【補正対象書類名】明細書
【補正対象項目名】００３１
【補正方法】変更
【補正の内容】
【００３１】
（３）前記所定下降位置において、前記連結部が、前記カセットリッドと前記ホルダとの間の空間に配置されることを特徴とする前項（１）または（２）記載のカセット装着装置。
【手続補正８】
【補正対象書類名】明細書
【補正対象項目名】００３２
【補正方法】変更
【補正の内容】
【００３２】
（４）前記所定下降位置において、前記連結部が、前記カセットリッドの高さ以下に配置されていることを特徴とする前項（３）記載のカセット装着装置。
【手続補正９】
【補正対象書類名】明細書
【補正対象項目名】００３３
【補正方法】変更
【補正の内容】
【００３３】
（５）前記所定下降位置において、前記連結部が、前記カセットリッド外形に略平行に配置されていることを特徴とする前項（１）乃至（３）のいずれかに記載のカセット装着装置。
【手続補正１０】
【補正対象書類名】明細書
【補正対象項目名】００３４
【補正方法】変更
【補正の内容】
【００３４】
（６）前記所定下降位置において、前記連結部が、前記所定上昇位置に比べて前記カセットリッドの近傍に配置されていることを特徴とする前項（１）乃至（３）のいずれかに記載のカセット装着装置。
【手続補正１１】
【補正対象書類名】明細書
【補正対象項目名】００３５
【補正方法】変更
【補正の内容】
【００３５】
（７）前記所定上昇位置において、前記連結部が、前記カセット挿入時のカセット上面のガイドとして機能することを特徴とする前項（１）又は（２）記載のカセット装着装置。
【手続補正１２】
【補正対象書類名】明細書
【補正対象項目名】００３６
【補正方法】変更
【補正の内容】
【００３６】
（８）前記連結部を介して連結されたレバーが、プレス加工の板金で一体に成形されていることを特徴とする前項（１）又は（２）記載のカセット装着装置。
【手続補正１３】
【補正対象書類名】明細書
【補正対象項目名】００３７
【補正方法】変更
【補正の内容】
【００３７】
（９）シャーシと、カセットを保持するホルダと、前記ホルダを前記シャーシに対して昇降自在に支持する複数のレバーからなるリンク機構と、
前記レバーの一部に形成され、且つ前記ホルダ内に挿入されたカセットのリッドに係合可能な係合部とを備え、
該係合部は、前記ホルダの下降動作に伴って前記ホルダ内に挿入されたカセットのリッドに係合してこれを開放することを特徴とするカセット装着装置。
【手続補正１４】
【補正対象書類名】明細書
【補正対象項目名】００３８
【補正方法】変更
【補正の内容】
【００３８】
（１０）前記係合部が形成されたレバーは、前記ホルダの下降動作に伴って前記カセットのリッド方向に回動することを特徴とする前項（９）記載のカセット装着装置。
【手続補正１５】
【補正対象書類名】明細書
【補正対象項目名】００３９
【補正方法】変更
【補正の内容】
【００３９】
（１１）前記係合部が形成されたレバーは、前記ホルダの両側面に位置する一対のレバーと、前記一対のレバーの夫々一端を連結する連結部とからなる略コの字形状に形成され、前記係合部は、前記連結部と反対側の端部に形成されていることを特徴とする前項（９）記載のカセット装着装置。
【手続補正１６】
【補正対象書類名】明細書
【補正対象項目名】００４０
【補正方法】変更
【補正の内容】
【００４０】
（１２）シャーシと、カセットを保持するホルダと、
リール台を搭載し、前記シャーシに対してスライド可能なスライドシャーシと、
前記ホルダの両側面に配され、且つ前記ホルダを前記スライドシャーシに対して昇降自在に支持する支持手段と、
前記ホルダを前記スライドシャーシにロックするロック手段と、
該ロック手段によるロック状態を検出する検出手段と、
該検出手段を動作させるための中継部材とを備え、
前記検出手段と前記中継部材は前記スライドシャーシ上に配され、前記ロック手段による前記ホルダのロック動作に応じて前記中継部材が前記検出手段を動作させることを特徴とするカセット装着装置。
【手続補正１７】
【補正対象書類名】明細書
【補正対象項目名】００４１
【補正方法】変更
【補正の内容】
【００４１】
（１３）前記カセットのイジェクト指示に応じて前記中継部材を駆動し、前記ロック手段によるロックの解除動作を行う駆動手段を備えることを特徴とする前項（１２）記載のカセット装着装置。
【手続補正１８】
【補正対象書類名】明細書
【補正対象項目名】００４２
【補正方法】変更
【補正の内容】
【００４２】
（１４）前記中継部材は、前記検出手段を動作させる第１の位置と、前記ロック手段によるロックの解除を行う第２の位置との間を回動可能であり、前記第１の位置と前記第２の位置との中間に位置する第３の位置に常時復元可能に付勢されて成ることを特徴とする前項（１２）記載のカセット装着装置。
【手続補正１９】
【補正対象書類名】明細書
【補正対象項目名】００４３
【補正方法】変更
【補正の内容】
【００４３】
（１５）前記ロック手段は、前記ホルダ側面に備えられて所定方向に付勢されたロックレバーが、前記スライドシャーシ上のロック部材に係合することにより前記ホルダをロックすることを特徴とする前項（１２）記載のカセット装着装置。
【手続補正２０】
【補正対象書類名】明細書
【補正対象項目名】００４４
【補正方法】変更
【補正の内容】
【００４４】
（１６）シャーシと、カセットを保持するホルダと、
該ホルダの両側面に配設され、且つ前記ホルダを所定上昇位置と所定下降位置との間で前記シャーシに対して昇降自在に支持する支持手段と、
前記所定下降位置において前記ホルダを所定の高さ位置に規制する規制手段と、
前記ホルダの片方の側面に前記ホルダの昇降方向に可動自在に支持されたサブホルダとを備え、
前記規制手段は前記サブホルダを支持しない側のホルダ部と前記サブホルダとを所定の高さ位置に規制することを特徴とするカセット装着装置。
【手続補正２１】
【補正対象書類名】明細書
【補正対象項目名】００４５
【補正方法】変更
【補正の内容】
【００４５】
（１７）前記サブホルダを支持する側のホルダ部は、前記ホルダが前記規制手段により規制された所定の高さ位置より下降可能であることを特徴とする前項（１６）記載のカセット装着装置。
【手続補正２２】
【補正対象書類名】明細書
【補正対象項目名】００４６
【補正方法】変更
【補正の内容】
【００４６】
（１８）前記サブホルダを支持する側のホルダ側面に配設され、前記シャーシに前記ホルダをロックするためのロック手段を備え、
前記所定の高さ位置は、前記ロック手段による前記ホルダのロック状態の高さ位置であり、前記ロック手段は、前記ホルダが前記所定の高さ位置より所定のストローク下降することにより前記ホルダをロックすることを特徴とする前項（１６）記載のカセット装着装置。
【手続補正２３】
【補正対象書類名】明細書
【補正対象項目名】００４７
【補正方法】変更
【補正の内容】
【００４７】
（１９）前記サブホルダは、前記ホルダに対して少なくとも前記所定のストローク昇降方向に可動することを特徴とする前項（１８）記載のカセット装着装置。